(57)【要約】【課題】  専用の空調機を使用せずに、簡単な構造で室内を快適にすることのできる安価な空調システムを提供する。【解決手段】  室内１の空気を吸い込む吸込口と空調空気を吹き出す吹出口とを有し且つ室内の冷暖房を行う空調装置１０と、この空調装置１０を収納したキャビネット２０とを備えた空調システムであって、室内１の床２に床下３と室内１を連通する第１床開口４と第２床開口５とを設け、キャビネット２０は、前記吸込口に連通した吸込開口２１と、吹出開口２２とを有するとともに、前記吹出口から吹き出された空調空気を吹出開口２２と第１床開口４へ案内するように構成し、前記吹出口から吹き出された空調空気を第１床開口４を介して床下３へ送風し、この床下へ送風された空調空気を第２床開口５を介して室内１へ送風する。【選択図】  図１
2006226564.tif 000002
【特許請求の範囲】
【請求項１】
室内の空気を吸い込む吸込口と空調空気を吹き出す吹出口とを有し且つ室内の冷暖房を行う空調装置と、この空調装置を収納したキャビネットとを備えた空調システムであって、
前記室内の床に床下と室内を連通する第１床開口と第２床開口とを設け、
前記キャビネットは、前記吸込口に連通した吸込開口と、吹出開口とを有するとともに、前記吹出口から吹き出された空調空気を前記吹出開口と第１床開口へ案内するように構成し、
前記吹出口から吹き出された空調空気を第１床開口を介して床下へ送風し、この床下へ送風された空調空気を前記第２床開口を介して室内へ送風することを特徴とする空調システム。
【請求項２】
前記第１床開口を開閉するダンパを設けたことを特徴とする請求項１に記載の空調システム。
【請求項３】
前記吹出口から吹き出された空調空気を第１床開口を介して床下へ送風する第１ファンを設けたことを特徴とする請求項２に記載の空調システム。
【請求項４】
前記床下へ送風された空調空気を第２床開口を介して室内へ送風する第２ファンを設けたことを特徴とする請求項１ないし請求項３のいずれか１つに記載の空調システム。
【請求項５】
前記床下を囲む基礎の側面に断熱材が添設されたことを特徴とする請求項１ないし請求項４のいずれか１つに記載の空調システム。
【発明の詳細な説明】
【技術分野】
【０００１】
この発明は、不快な気流を抑制して室内を快適にすることのできる空調システムに関する。
【背景技術】
【０００２】
従来から、不快な気流を抑制して室内を快適にすることのできる空調システムが知られている（特許文献１参照）。
【０００３】
かかる空調システムは、フローリングと、このフローリングの下方に配置したコンパネとの間にダクト経路を形成し、空調機の底部に設けたダクト吹出口から吹き出す空調空気を分流ユニットを介してダクト経路に均等に流すように構成したものである。
【０００４】
そして、空調機は、第１,第２熱交換機と、第１熱交換機で熱交換された空調空気を上
部吹出口から吹き出させる上部ファンと、第２熱交換機で熱交換された空調空気を下部吹出口から吹き出させる下部ファンと、下部吹出口やダクト吹出口に風向を切り換えるルーバとを備えている。
【特許文献１】特開平１０−５４５７６号公報
【発明の開示】
【発明が解決しようとする課題】
【０００５】
このように従来の空調システムでは、専用の空調機が必要であり、またフローリングの下にダクトを形成しなければならず、さらにダクト経路に空調空気が均等に流れるように分流ユニットを設けているので、構造が複雑となり、高価なものになってしまうという問題があった。
【０００６】
この発明の目的は、専用の空調機を使用せずに、簡単な構造で室内を快適にすることのできる安価な空調システムを提供することにある。
【課題を解決するための手段】
【０００７】
請求項１の発明は、室内の空気を吸い込む吸込口と空調空気を吹き出す吹出口とを有し且つ室内の冷暖房を行う空調装置と、この空調装置を収納したキャビネットとを備えた空調システムであって、
前記室内の床に床下と室内を連通する第１床開口と第２床開口とを設け、
前記キャビネットは、前記吸込口に連通した吸込開口と、吹出開口とを有するとともに、前記吹出口から吹き出された空調空気を前記吹出開口と第１床開口へ案内するように構成し、
前記吹出口から吹き出された空調空気を第１床開口を介して床下へ送風し、この床下へ送風された空調空気を前記第２床開口を介して室内へ送風することを特徴とする。
【０００８】
請求項２の発明は、前記第１床開口を開閉するダンパを設けたことを特徴とする。
【０００９】
請求項３の発明は、前記吹出口から吹き出された空調空気を第１床開口を介して床下へ送風する第１ファンを設けたことを特徴とする。
【００１０】
請求項４の発明は、前記床下へ送風された空調空気を第２床開口を介して室内へ送風する第２ファンを設けたことを特徴とする。
【００１１】
請求項５の発明は、前記床下を囲む基礎の側面に断熱材が添設されたことを特徴とする。
【発明の効果】
【００１２】
請求項１ないし５の発明によれば、専用の空調機を使用せずに、簡単な構造で室内を快適にすることができる。
【発明を実施するための最良の形態】
【００１３】
以下、この発明に係る空調システムの実施の形態である実施例を図面に基づいて説明する。
【実施例】
【００１４】
図１に示す空調システムは、室内１に設けた空調装置１０と、この空調装置１０を収納したキャビネット２０とを備えている。室内１の床２には、床下３と室内１とを連通した第１,第２床開口４,５が設けられており、第１床開口４は床２の左端部（図１において）に設けられ、第２床開口５は床２の右端部に設けられている。また、第１床開口４にはこの第１床開口４を開閉するダンパ６が設けられている。第２床開口には、床下３の空気を室内１へ送風する送風ファンＦ１が設けられている。７は床下３を囲む基礎８ａに添設した断熱材であり、床下３は断熱空間となっている。８ｂはベタ基礎であり、９Ａは一階と二階９Ｂの共用部分である。
【００１５】
ダンパ６は、モータＭ（図３参照）によって図２に示す実線位置と鎖線位置とに切り換えられて、第１床開口４を開閉するものである。
【００１６】
空調装置１０は、図２に示すように室内１の壁６に取り付けられており、本体ケース１１内には図示しない熱交換器が設けられている。本体ケース１１には、室内１の空気を吸い込む吸込口１２と、熱交換器によって温調された空調空気を吹き出す吹出口１４とが設けられている。吹出口１４は冷却された空調空気や暖められた空調空気を吹き出すようになっている。
【００１７】
キャビネット２０は、上面に設けた吸込開口２１と、前面に設けた吹出開口２２とを有している。吹出開口２２には室内１へ吹き出す空調空気の向きを左右および上下に変えることのできるルーバ２３が取り付けられている。
【００１８】
キャビネット２０内には、吸込開口２１と空調装置１０の吸込口１２とを連通した吸込ダクト２４が設けられており、室内１の空気はキャビネット２０の吸込開口２１から吸込ダクト２４を介して空調装置１０の吸込口１２に吸い込まれるようになっている。そして、空調装置１０の吹出口１４から吹き出される空調空気は、キャビネット２０内を通ってキャビネット２０の吹出開口２２から室内１へ吹き出されるようになっている。
【００１９】
また、キャビネット２０内には、空調装置１０の吹出口１４から吹き出される空調空気を床下３へ送風する送風ファンＦ２が設けられている。
【００２０】
図３は、空調システムの制御系の構成を示したブロック図である。３０は室内１の温度を設定したり空調システムを動作させたりするリモート操作部、３１は室内１の温度を検知する温度センサ、３２は操作部３０の操作や温度センサ３１の検知温度に基づいてモータＭや送風ファンＦ１,Ｆ２を制御する制御装置である。なお、リモート操作部３０は空
調装置１０の操作部を利用してもよい。
［動  作］
次に、上記のように構成される空調システムの動作について説明する。
【００２１】
操作部３０の操作により、室内１の温度が設定されて冷房または暖房が入れられると、空調装置１０が駆動されるとともに、制御装置３２はモータＭを駆動させてダンパ６を図２の鎖線で示す位置へ切り換え、床２の第１床開口４を閉じる。そして、モータＭの駆動が停止される。
【００２２】
空調装置１０の駆動により、室内１の空気がキャビネット２０の吸込開口２１から吸込ダクト２４を介して空調装置１０の吸込口１２に吸い込まれていき、空調装置１０の吹出口１４から冷却された空調空気や暖められた空調空気が吹き出されていく。
【００２３】
この空調空気は、床２の第１床開口４が閉じられていることにより、キャビネット２０の吹出開口２２から室内１へ直接吹き出されていく。これにより、室内１の温度が所望温度に早く達成することになる。
【００２４】
温度センサ３１が室内１の温度が所望温度（設定温度）になったことを検知すると、制御装置３２はモータＭを再度駆動させてダンパ６を図２の実線位置へ切り換え、床２の第１床開口４を開成する。また、制御装置３２は送風ファンＦ１,Ｆ２を駆動させる。
【００２５】
床２の第１床開口４が開成されたので、送風ファンＦ１の駆動によって、空調装置１０の吹出口１４から吹き出された空調空気は床下３へ送風される。この際、キャビネット２０の吹出開口２２から空調空気はほとんど吹き出されない。
【００２６】
床２の第１床開口４から床下３へ送風された空調空気は、床下３を通って第１床開口４と反対側にある第２床開口５から送風ファンＦ２により室内１へ吹き出されていく。
【００２７】
このように、床下３を通る空調空気により、床２が暖められたり冷やされたりするので、床２の輻射熱により室内１が暖められたり冷やされたりする。このため、空調装置１０から直接吹き出る気流を感じることなく、穏やかな冷暖房を実現することができ、室内１を快適にすることができる。また、共用部分９Ａの床２Ａも暖められたり冷やされたりするので、共用部分９Ａも床２Ａの輻射熱により快適なものとなる。
【００２８】
また、断熱材７で囲まれた床下３の断熱空間を搬送経路として活用するので、エネルギー損失が少なく、空調装置１０の位置や第２床開口５の吹き出し方向に拘わらず、ほぼ均一な室内１温度分布を実現することができる。また、床下の下面はベタ基礎８ｂとされているので、地盤からの湿気や臭気が抑えられ、室内の空気を汚すことも防げる。
【００２９】
さらに、空調装置１０は市販されている汎用の空調装置でよく、しかも床下３を単に利用しているだけなので、空調システムは簡単な構成となり、安価なものとなる。
【図面の簡単な説明】
【００３０】
【図１】空調システムの全体の構成を示した説明図である。
【図２】空調装置を収納したキャビネットの構成を示した断面図である。
【図３】空調システムの制御系の構成を示したブロック図である。
【符号の説明】
【００３１】
１                室内
２                床
３                床下
４                第１床開口
５                第２床開口
６                ダンパ
１０                空調装置
２０                キャビネット
２１                吸込開口
２２                吹出開口
【図１】
2006226564.tif 000003
【図２】
2006226564.tif 000004
【図３】
2006226564.tif 000005